(57)【特許請求の範囲】
【請求項１】
電動式コンプレッサに用いる始動リレー装置であって、
前記電動式コンプレッサは、ピン端子付ターミナルを備えるとともに、
前記始動リレーは、電動式コンプレッサのピン端子への嵌合による取り付けが可能な端子穴を備え、
前記始動リレーの端子穴に電動式コンプレッサのピン端子を嵌合させることで、前記始動リレーに電動式コンプレッサを接続させるプラグイン方式と、
前記端子孔に嵌入可能なピン端子と、このピン端子の各々が銅線で連結された結線用端子とを備えた、電動式コンプレッサ以外の部材に取り付けるアダプターを用い、前記始動リレーの端子穴に、前記アダプターのピン端子を嵌入させるとともに、前記アダプターの結線用端子と電動式コンプレッサのピン端子とを導線で接続させることで、前記始動リレーに電動式コンプレッサを接続させる、前記アダプターを用いた別置き方式と、
の双方を兼用できるように構成した、
ことを特徴とする始動リレー装置。
【請求項２】
電装ボックスにアダプターが取り付けられ、
そのアダプターのピン端子が端子穴に嵌入されて始動リレーが電装ボックスに一体に取り付けられた
ことを特徴とする請求項１記載の始動リレー装置。
【請求項３】
アダプターがビス止めされ、
そのピン端子が端子穴に嵌入されて始動リレーがアダプターに一体に取り付けられた
ことを特徴とする請求項１または２記載の始動リレー装置。
【発明の詳細な説明】
【技術分野】
【０００１】
本発明は、単相誘導電動機などに用いる始動リレー装置に係るものである。
【背景技術】
【０００２】
図５、図６に示したように、始動性改善機能を付与するための始動リレー１０が、コンプレッサの本体機能部を収納した密閉容器３１の、ターミナル３２に着脱可能に取り付けられた電動式コンプレッサ３０が周知である（例えば、特許文献１、２参照。）。
【０００３】
このような電動式コンプレッサ３０においては、密閉容器３１の外殻に設置されたターミナル３２に複数本のピン端子３３が立設され、その複数本のピン端子３３が始動リレー１０の合成樹脂などからなる誘電体（電気的絶縁体）製の筐体１１に設けた端子穴１２に嵌入されて、始動リレー１０と電動式コンプレッサ３０との機械的な一体化と、電気的な接続とが同時に図られている。
【０００４】
しかし、電動式コンプレッサ３０の設置場所によっては、障害物の存在などによって始動リレー１０をピン端子３３に取り付けることができない場合もある。そのようなときには、例えばビス穴を備えた始動リレー１０Ａを、図７に示したようにビス１３を利用してコンプレッサ搭載板４５などに固定し、図示しない配線により始動リレー１０Ａとコンプレッサ３０とをその都度電気的に接続している。
【０００５】
なお、本発明は始動リレーの取付構造に関するものであるので、始動リレーの機能に関する詳細な説明は省略するが、簡単に説明すると始動リレー１０（Ａ）は誘電体製の筐体１１の内部に正の抵抗温度係数を有する適宜の物質、例えば所定の温度以上に加熱されると電気抵抗が急増するチタン酸バリウムセラッミクス（キュリー点１３０℃）などからなる抵抗素子１５を備えており、その抵抗素子１５が図４に示したように電動式コンプレッサ３０の駆動機能部である単相誘導電動機３４の補助巻線３５に直列に接続される。図中３６は主巻線、３７は過負荷リレー、３８はコンデンサー、３９は単相の商用電源である。
【０００６】
そして、単相誘導電動機３４の始動時には、抵抗素子１５は温度が低いために電気抵抗が小さく、補助巻線３５には大きな始動電流が流れるので、単相誘導電動機３４のスムースな始動を可能とする。
【０００７】
その後、抵抗素子１５は自身に流れる電流により自己発熱して温度が上昇するので、電気抵抗は増大して補助巻線３５に流れる電流が減少し、必要以上の電流が流れるのを防止する働きをするものである。
【先行技術文献】
【特許文献】
【０００８】
【特許文献１】実開昭５９−３４４６６号公報
【特許文献２】特開２００１−３２２１５９号公報
【発明の概要】
【発明が解決しようとする課題】
【０００９】
従来は、電動式コンプレッサ用始動リレーとして、コンプレッサのピン端子を利用して取り付けるプラグインタイプの始動リレーと、ビスなどを利用して取り付ける別置きタイプのリレーの２種類を常時在庫していた。
【００１０】
２種類の始動リレーは取付方法が異なるだけで内部構造は同一であり、別置きタイプの始動リレーはプラグインタイプの始動リレーより高価であるので、廉価なプラグインタイプの始動リレーによって、高価な別置きタイプの始動リレーの代替ができるようにする必要があり、その解決が課題となっていた。
【課題を解決するための手段】
【００１１】
本発明は、電動式コンプレッサに用いる始動リレー装置であって、電動式コンプレッサに用いる始動リレー装置であって、前記電動式コンプレッサは、ピン端子付ターミナルを備えるとともに、前記始動リレーは、電動式コンプレッサのピン端子への嵌合による取り付けが可能な端子穴を備え、前記始動リレーの端子穴に電動式コンプレッサのピン端子を嵌合させることで、前記始動リレーに電動式コンプレッサを接続させるプラグイン方式と、前記端子孔に嵌入可能なピン端子と、このピン端子の各々が銅線で連結された結線用端子とを備えた、電動式コンプレッサ以外の部材に取り付けるアダプターを用い、前記始動リレーの端子穴に、前記アダプターのピン端子を嵌入させるとともに、前記アダプターの結線用端子と電動式コンプレッサのピン端子とを導線で接続させることで、前記始動リレーに電動式コンプレッサを接続させる、前記アダプターを用いた別置き方式と、の双方を兼用できるように構成した、ことを特徴とする始動リレー装置である。
【発明の効果】
【００１２】
本発明によれば、端子穴を備えたアダプターをコンプレッサ以外の適宜の部位にビスなどにより固定しておけば、ピン端子付ターミナルを備えた電動式コンプレッサへの取り付けが端子穴とコンプレッサのピン端子との嵌合により可能な始動リレーを、アダプターのピン端子と始動リレーの端子穴とを嵌合させることで簡単に取り付けることが可能であるので、コンプレッサ以外の適宜の部位、例えば電装ボックスなどにもプラグインタイプの始動リレーを容易に取り付けることができる。
【００１３】
すなわち、ピン端子を備えているが、抵抗素子を備えないために安価に製造可能なアダプターを準備しておくだけで、ピン端子付ターミナルを備えた電動式コンプレッサへの取り付けが端子穴とコンプレッサのピン端子との嵌合により可能なプラグインタイプの始動リレーを、別置きタイプの始動リレーとして容易に転用することができる。
【００１４】
したがって、抵抗素子を備える２種類の始動リレーを在庫する必要がないので、在庫管理が簡単になり、且つ、在庫部品のコストを減らすことができる。
【発明を実施するための最良の形態】
【００１５】
コンプレッサ用電装ボックスに、始動リレー取り付けのためのアダプターを固定し、または、最初から取付用の突起を電装ボックス内に設置し、ピン端子付ターミナルを備えた電動式コンプレッサへの取り付けが端子穴とコンプレッサのピン端子との嵌合により可能な始動リレーの端子穴に、アダプターに設けたピン端子を嵌入して始動リレーを電装ボックスに取り付けたことを特徴とする始動リレー装置。
【実施例１】
【００１６】
以下、本発明の一実施例を主に図１〜図３に基づいて詳細に説明する。なお、理解を容易にするため、これらの図面においても前記図面において説明した部分と同様の機能を有する部分には同一の符号を付し、理解を妨げない範囲で説明は省略した。
【００１７】
本発明の始動リレー装置の始動リレー１０Ａにおいても、合成樹脂などからなる誘電体製の筐体１１には前記図６に示した電動式コンプレッサ３０のターミナル３２に設けたピン端子３３が嵌入可能な複数の端子穴１２が設けられている。
【００１８】
また、筐体１１の内部には、所定の温度以上に加熱されると電気抵抗が急増する、例えばチタン酸バリウムセラッミクス（キュリー点１３０℃）などを用いて作製された抵抗素子（図示せず）が収納さており、基本的に前記図５、図６に示した始動リレー１０と同様の構成となっている。
【００１９】
アダプター２０は、合成樹脂などからなる誘電体製の筐体２１に複数のピン端子２２と、各ピン端子と図示しない銅線で連結された複数（ピン端子２２と同数）の結線用端子２３と、複数個のビス穴２４とを備えている。
【００２０】
複数のピン端子２２は、始動リレー１０Ａの端子穴１２に嵌合可能に、前記図６に例示した電動式コンプレッサ３０のターミナル３２が備えるピン端子３３と同形に設けられたものである。
【００２１】
そのため、始動リレー装置の始動リレー１０Ａとアダプター２０とは、始動リレー１０Ａの端子穴１２に、アダプター２０のピン端子２２を嵌入することで、始動リレー１０Ａとアダプター２０とは構造上一体化され、同時に電気的にも接続される。
【００２２】
一方、アダプター２０は、その複数のビス穴２４を、例えば電装ボックス５０の背板５１に開設した複数の透孔５２に対峙させ、ビス穴２４と透孔５２とにビス２５を挿し通し、ビス２５の突出した雄螺子部にナット２６を螺合し締め付けることで、アダプター２０を電装ボックス５０の内部に固定することができる。
【００２３】
したがって、上記のようにして電装ボックス５０内に固定したアダプター２０のピン端子２２を、始動リレー１０Ａの端子穴１２に嵌入することにより、始動リレー１０Ａを電装ボックス５０内に簡単に取り付けることができる。
【００２４】
そして、アダプター２０の結線用端子２３と電動式コンプレッサ３０の所要の端子とを導線を介して接続することにより、配線がより容易にでき、且つ、始動リレー１０Ａによる起動特性が改善された電動式コンプレッサとすることができる。
【００２５】
なお、本発明は上記実施例に限定されるものではないので、特許請求の範囲に記載の趣旨から逸脱しない範囲で各種の変形実施が可能である。
【００２６】
例えば、始動リレー１０Ａとしては、電動機が過熱したときに回路を開放して電気を遮断する図４に示した過負荷リレー３７と機械的に一体化して取り付けられても良い。
【００２７】
また、始動リレー１０Ａに結線用の端子を設けたときには、アダプター２０はピン端子２２を含む全体を廉価な合成樹脂などからなる誘電体により作製することもできる。
【図面の簡単な説明】
【００２８】
【図１】本発明の始動リレー装置に用いるリレーとアダプターの説明図である。
【図２】本発明の始動リレー装置を示す説明図（斜視図）である。
【図３】本発明の始動リレー装置（側面図）と電動式コンプレッサとを示す説明図である。
【図４】始動リレーの結線図である。
【図５】第１の従来技術を示す説明図である。
【図６】第２の従来技術を示す説明図である。
【図７】第３の従来技術を示す説明図である。
【符号の説明】
【００２９】
１０、１０Ａ  始動リレー
１１  筐体
１２  端子穴
１３  ビス
１５  抵抗素子
２０  アダプター
２１  筐体
２２  ピン端子
２３  結線用端子
２４  ビス穴
２５  ビス
２６  ナット
３０  コンプレッサ
３１  密閉容器
３２  ターミナル
３３  ピン端子
３４  電動機
３５  補助巻線
３６  主巻線
３７  過負荷リレー
３８  コンデンサー
３９  電源
４５  コンプレッサ搭載板
５０  電装ボックス
５１  背板
５２  透孔
【図１】
0004794236.tif 000002
【図２】
0004794236.tif 000003
【図３】
0004794236.tif 000004
【図４】
0004794236.tif 000005
【図５】
0004794236.tif 000006
【図６】
0004794236.tif 000007
【図７】
0004794236.tif 000008